(57)【要約】      （修正有）【課題】ドアに開閉に伴う傷を付けることなく、しかもドアの閉成時には確実に電磁波を遮蔽する電磁波シールド構造を提供する。【解決手段】電磁波シールド構造は、電磁波の漏洩を防止する構造を備えた部屋としてのＭＲＩ検査室の壁１にドア用開口が設けられ、壁１の壁面１ａに平行に近接状態でスライド可能としかつ電磁波遮蔽性を有するドア３の周縁部（フレーム３ｄ，３ｆおよびドアの下端面３ｈ）をドア３の閉成状態ではドア用開口８の周縁部（ドア枠９ｂ，９ｃおよび、くつ摺部９ａ）に近接させて電磁波の漏洩を防止する開閉装置５に備えられて電磁波を遮蔽するものであり、ドア３の周縁部またはドア用開口８の周縁部のいずれかに設けられ、ドア３の周縁部とドア用開口８の周縁部との隙間を塞ぐことにより電磁波の漏洩を防止する導電性シールド部材Ｓが柔軟性を有する発泡樹脂により構成されている。【選択図】図８
0003143096.tif 000002
【実用新案登録請求の範囲】
【請求項１】
電磁波の漏洩を防止する構造を備えた部屋の壁にドア用開口が設けられ、
該壁の壁面に平行かつ近接状態でスライド可能とし電磁波遮蔽性を有するドアの周縁部を該ドアの閉成状態では前記ドア用開口の周縁部に近接させて電磁波の漏洩を防止する開閉装置に備えられて電磁波を遮蔽する電磁波シールド構造であって、
前記ドアの周縁部または前記ドア用開口周縁部のいずれかに設けられ、前記ドアの周縁部と前記ドア用開口周縁部との隙間を塞ぐことにより電磁波の漏洩を防止する導電性シールド部材が柔軟性を有する発泡樹脂により構成されていることを特徴とする電磁波シールド構造。
【請求項２】
長尺かつ長手方向に沿って鋭角に屈曲された平板状の前記導電性シールド部材の角部が前記ドアの閉成時に該ドアの周縁部と前記ドア用開口周縁部との相対移動方向接近する側に向けられていることを特徴とする請求項１の電磁波シールド構造。
【請求項３】
前記ドアの閉成状態で該ドアの前記ドア用開口に対向する部分に、前記ドアの開閉途中における前記ドアと前記シールド部材との接触を回避するための凹所が設けられていることを特徴とする請求項１または請求項２の電磁波シールド構造。
【考案の詳細な説明】
【技術分野】
【０００１】
本考案は、自動ドア装置の電磁波シールド構造に関する。
【背景技術】
【０００２】
従来から、自動ドア装置の電磁波シールド構造が知られている（特許文献１等参照）。
【０００３】
近年では、病気や怪我などの診断に、ＭＲＩ検査装置（ＭＲＩは、Magnetic ResonanceImagingの略、すなわち、ＭＲＩ検査装置は核磁気共鳴画像法を利用した検査装置）により得られた人体の断層画像が広く利用されている。
【０００４】
ＭＲＩ検査装置では、人体に強力な静磁界と電磁波とを同時に加えて、人体を構成している水素原子の原子核を核磁気共鳴状態とし、この水素原子核が共鳴状態から元の状態に移行する際に放射する電磁波を検知して、この電磁波が有する人体の情報を解析することにより人体の断層画像を得ている。
【０００５】
通常、ＭＲＩ装置はＭＲＩ検査専用の検査室に設置されており、この検査室には隣接してモニター室が設けられている。
【０００６】
モニター室にはモニター装置が設置されており、ＭＲＩ装置により得られた検査データは、このモニター装置によって解析され、人体の断層画像として表示される。
【０００７】
モニター装置はコンピューターを含む多数の電子機器によって構成されているが、これらの電子機器は一般に電磁波ノイズの影響を受け易いので、モニター装置がＭＲＩ装置よって発生する電磁波により被爆するのを防ぐ必要がある。
【０００８】
電磁波の遮蔽材としては、電磁波をほとんど透過しない金属などの導電体が使用される。
【０００９】
ＭＲＩ検査用の検査室には、通常、周囲の壁や床、天井の内部に導電性を有する金属箔や金属製の網などが張り巡らされており、さらに内壁材に導電性を有するステンレス製の材料などが用いられているので、検査室全体が導電体に包囲されており、検査室は電磁波の外部への漏洩を防止する構造となっている。
【００１０】
ところで、ＭＲＩ検査室とモニター室とを仕切る壁には、電磁波遮蔽機構を備えたスライド式の自動ドア装置が広く使用されている。
【００１１】
この自動ドア装置のドア自体は導電性を有するステンレスなどにより構成されているので、電磁波を遮蔽する構造となっており、開閉装置には、ドアを閉める際にドアをドア用開口の周縁部に近づけて、ドアの周縁部とドア用開口の周縁部との隙間やドアの下端部と床との隙間を小さくすることにより電磁波を遮蔽する電磁波遮蔽機構が備えられている。
【００１２】
しかしながら、このような電磁波遮蔽機構を備えた開閉装置を有していても、ＭＲＩ検査で使用される電磁波は波長が比較的短く、しかも強度が強いので、ドアを閉じた状態でのドアの周縁部とドア用開口の周縁部との僅かな隙間やドアの下端部と床との僅かな隙間からでも電磁波が漏洩するおそれがあった。
【００１３】
そこで、出願人自らが提案した特許文献１の自動ドアの電磁波シールド構造では、リン青銅などの耐摩耗性金属材料によって断面半円筒形状に形成された電磁波シールド部材をドア用開口の周縁部とドアの周縁部との間の隙間に設けることにより、これらの隙間からの電磁波の漏洩を無くする試みがなされた。
【特許文献１】実用新案登録第３０７０７６９号公報
【考案の開示】
【考案が解決しようとする課題】
【００１４】
しかしながら、特許文献１の考案では、ドアとドア用開口周縁部との閉成時における密着性を高めるために、ドアの開閉途中でのドアとドア用開口周縁部との隙間にギリギリ入る厚さのシーリング部材を設けた場合には、ドアの開閉に伴いドアが表面硬度が高い金属製のシーリング部材に接触してドアの表面に傷を付けるおそれがあった。
【００１５】
一方、シーリング部材とドアとの接触を避けるために、ドアの開閉途中でのドアとドア用開口周縁部との隙間に比べて十分厚さの薄いシーリング部材を使用すると、ドアの閉成時にドアとシーリング部材との密着性が損なわれるために十分な遮蔽性能を得ることができないという問題があった。
【００１６】
そこで本考案では、ドアに開閉に伴う傷を付けることなく、しかもドアの閉成時には確実に電磁波を遮蔽する電磁波シールド構造を提供することを目的としている。
【課題を解決するための手段】
【００１７】
上記目的を達成するために請求項１に記載の考案は、電磁波の漏洩を防止する構造を備えた部屋の壁にドア用開口が設けられ、
該壁の壁面に平行かつ近接状態でスライド可能とし電磁波遮蔽性を有するドアの周縁部を該ドアの閉成状態では前記ドア用開口の周縁部に近接させて電磁波の漏洩を防止する開閉装置に備えられて電磁波を遮蔽する電磁波シールド構造であって、
前記ドアの周縁部または前記ドア用開口周縁部のいずれかに設けられ、前記ドアの周縁部と前記ドア用開口周縁部との隙間を塞ぐことにより電磁波の漏洩を防止する導電性シールド部材が柔軟性を有する発泡樹脂により構成されている電磁波シールド構造を特徴としている。
【００１８】
そして、請求項２に記載の考案は、長尺かつ長手方向に沿って鋭角に屈曲された平板状の前記導電性シールド部材の角部が前記ドアの閉成時に該ドアの周縁部と前記ドア用開口周縁部との相対移動方向接近する側に向けられている請求項１の電磁波シールド構造を特徴としている。
【００１９】
また、請求項３に記載の考案は、前記ドアの閉成状態で該ドアの前記ドア用開口に対向する部分に、前記ドアの開閉途中における前記ドアと前記シールド部材との接触を回避するための凹所が設けられている請求項１または請求項２の電磁波シールド構造を特徴としている。
【考案の効果】
【００２０】
請求項１に記載のものでは、ドアの周縁部またはドア用開口周縁部のいずれかに設けられた導電性シールド部材が柔軟性を有する発泡樹脂により構成されているので、ドアの開閉時に導電性シールド部材に接触する接触部分に傷や擦れ跡がつきにくい。
【００２１】
そして、請求項２に記載のものでは、長尺かつ長手方向に沿って鋭角に屈曲された平板状の導電性シールド部材の角部がドアの閉成時にドアの周縁部とドア用開口周縁部との相対移動方向接近する側に向けられて、ドアの周縁部とドア用開口周縁部とが接近するときに、導電性シールド部材に接触すると、導電性シールド部材は折曲げ方向にさらに折曲がって隙間にスムーズに入り込むので、ドアの開閉動作を繰り返しても導電性シールド部材は破損しにくい。
【００２２】
また、請求項３に記載のものでは、ドアの閉成状態でドアのドア用開口に対向する部分にドアの開閉途中におけるドアとシールド部材との接触を回避するための凹所が設けられているので、ドアの開閉途中におけるドアとシールド部材との接触が回避され、ドアの開閉動作を繰り返してもドアの閉成時にドア用開口側から目視可能なドアのドア用開口に対向する部分に擦れ跡や傷が付かないので、ドアの見映えを損なうことがない。
【考案を実施するための最良の形態】
【００２３】
以下、本考案に係る実施の形態を実施例１に基づいて説明する。
【００２４】
本実施例に係る開閉装置には、ドアを閉める際にドアをドア用開口の周縁部に近づけて、ドアの周縁部とドア用開口の周縁部との隙間や、ドアの下端部と床との隙間を小さくすることにより電磁波を遮蔽する電磁波遮蔽機構が備えられている。
【００２５】
本考案は、このような電磁波遮蔽機構を備える自動ドア装置に電磁波を遮蔽するための電磁波シールド部材を適用することにより電磁波を遮蔽するものである。
【実施例１】
【００２６】
〈構成〉
〔開閉装置の構成〕
図１において、符号１はＭＲＩ検査室とモニター室とを仕切る壁、符号２は壁１に設けられた自動ドア装置、符号３は自動ドア装置２の電磁波遮蔽性を有するドア、符号４は開成状態のドア３を収容する戸袋部、符号５はドア３を開閉させる開閉装置を示している。
【００２７】
また、符号６は自動ドア装置２の前に居る人を検知するための人体検知センサー、符号７ａ，７ｂはそれぞれドアの開成時に自動ドア装置２を通過している人の有無を検知するための遮光センサーの発光部および受光部を示している。
【００２８】
自動ドア装置２の外縁部には、自動ドア装置２を正面から見て左側に鉛直に伸びる外枠８ａと、上部に水平に伸びる外枠８ｂと、右側に鉛直に伸びる外枠８ｃとが設けられている。
【００２９】
外枠８ａにはヒンジＨ１を介して戸袋カバー４ａが開閉自在に取り付けられており、外枠８ｂにはヒンジＨ２を介して装置カバー５ａが開閉自在に取り付けられている。
【００３０】
図２に示すように、装置カバー５ａを開くと、ドア３上方の壁面１ａにはレール部材５Ａが水平に設けられており、レール部材５Ａの上方には駆動部５Ｂが設けられている。
【００３１】
レール部材５Ａはドア３を吊り下げると共に左右に移動可能としており、このレール部材５Ａには一対の切欠部５Ａａ，５Ａｂが形成されている。
【００３２】
駆動部５Ｂには、レール部材５Ａの両端部近傍に一対のプーリー５Ｂａ，５Ｂｂが設けられ、プーリー５Ｂａにはプーリー５Ｂａを回転駆動させるモーター５Ｂｃが設けられており、これらのプーリー５Ｂａ，５Ｂｂには搬送ベルト５Ｂｄが掛け渡されている。
【００３３】
図３は、ドア３を取り外した状態の自動ドア装置２の正面図である。
【００３４】
図３に示すように、壁１にはドア用開口８が設けられており、このドア用開口８の周縁には、下部の床にくつ摺部９ａが埋設され、上部に横に伸びるドア枠９ｂと、左右両側部に一対の縦に伸びるドア枠９ｃ，９ｄとが設けられている。
【００３５】
くつ摺部９ａの上部には、ドア３の開閉時にドア３を案内するガイドローラーＲ１〜Ｒ３が回転自在に設けられている。
【００３６】
図２に示すように、ドア３には、上部両端付近にドア３をレール部材５Ａに吊り下げるための一対の吊下部３Ａ，３Ａと、上部中央にドア駆動部５Ｂの搬送ベルト部５Ｂｄに固定されるベルト保持部３Ｂとが設けられている。
【００３７】
図４に示すように、吊下部３Ａには回転自在に取り付けられたプーリー３Ａａが設けられており、ベルト保持部３Ｂには回転自在に取り付けられた補助ローラー３Ｂａが設けられている。
【００３８】
ドア３の正面右側の中央にはドア３を手動で開閉する際に掴む取手部３ａが設けられており、ドア３の下端部３ｂには、ガイドローラーＲ１〜Ｒ３を挿通して、ドア３の下部を開閉方向に案内するガイド溝部３ｃが形成されている。
【００３９】
ドア３の背面側には、背面側から見て上端部に横に伸びるフレーム３ｄと、両側部に縦に伸びる一対のフレーム３ｅ，３ｆとが設けられており、これらのフレーム３ｄ，３ｅ，３ｆの内側部分に凹所３ｇが形成されている。
【００４０】
ドア３の凹所３ｇは、ドア３の閉成状態において、ドア３のドア用開口８に対向する部分に設けられており、ドア３の開閉途中におけるドア３と後述するシールド部材Ｓとの接触を回避するために設けられている。
【００４１】
〔開閉装置５の電磁波遮蔽機構〕
図５に示すように、本実施例に係るレール部材５Ａには、取り付け壁面１ａから斜め上方に延びる一対のレール部が設けられており、これらのレール部にはドア３が閉成状態にあるときのプーリー３Ａａ，３Ａａの位置にそれぞれ対応させて、すでに述べた切欠部５Ａａ，５Ａｂが形成されている。
【００４２】
ドア３の開成状態または開閉途中の状態では、プーリー３Ａａ，３Ａａがそれぞれ、各レール部の上端部に乗った状態で、これらのレール部に沿って転がる（図５（ａ）参照）。
【００４３】
ドア３が開閉途中の状態から閉成状態になると、一対のプーリー３Ａａ，３Ａａは、それぞれ切欠部５Ａａ，５Ａｂに入り込み、レール部の延びる方向に沿って逆向きに斜め下方に降下するので、このときプーリー３Ａａ，３Ａａの降下に伴いドア３も斜め下方に移動する。
【００４４】
このとき、ドア３は、ドア用開口８側に接近しつつ降下する（図５（ｂ）参照）。なお、このような電磁波遮蔽機構は従来から公知のものである。
【００４５】
このように、開閉装置５は、壁１の壁面１ａに平行かつ近接状態でスライド可能とされたドア３の周縁部（フレーム３ｄ，３ｅ，３ｆおよびドアの下端面３ｈ）をドア３の閉成状態ではドア用開口８の周縁部（ドア枠９ｂ，９ｃ，９ｄおよびくつ摺部９ａ）に近接させて電磁波の漏洩を防止する電磁波遮蔽機構を備えている。
【００４６】
〔電磁波シールド部材の構成〕
図６において、符号Ｓは本実施例の電磁波シールド部材を示している。
【００４７】
電磁波シールド部材Ｓとしては、例えば、樹脂シートとナイロン繊維にニッケルなどの金属をコーティングして導電性を付与した導電性のメッシュ材とを積層させた状態でウレタンフォームによってモールディングした部材を使用する。
【００４８】
本実施例の電磁波シールド部材Ｓは、図６に示すように、平板状の長尺部材を長手方向に沿って鋭角に屈曲された形状を呈しており、折り曲げられた一方の平板状部の外側面には粘着テープＴが設けられている。
【００４９】
この屈曲された角部Ｃがドア３の閉成時にドア３の周縁部とドア用開口８の周縁部との相対移動方向接近する側に向けられている。
【００５０】
〔電磁波シールド部材Ｓの貼設位置および角部Ｃの向き〕
本実施例の電磁波シールド構造では、導電性シールド部材Ｓがドア３の周縁部またはドア用開口８の周縁部のいずれかに配設されており、ドア３の周縁部とドア用開口８の周縁部との隙間を塞ぐことにより電磁波の漏洩を防止している。
【００５１】
具体的には、図７に示すように、ドア用開口８の周縁のドア枠９ｃには、ドア枠９ｃの伸びる方向に沿ってドア３のフレーム３ｆに近接する側に、複数の電磁波シールド部材Ｓが互いに平行に貼設されており、これらの導電性シールド部材Ｓの各角部Ｃの向きは、ドア３の閉成時にドア３のフレーム３ｆとドア枠９ｃとの相対移動方向接近する側、すなわち、正面側から見てドア枠９ｃの左側となっている。
【００５２】
また、ドア用開口８の周縁のドア枠９ｄには、ドア枠９ｄの伸びる方向に沿ってドア３のフレーム３ｅに近接する側に、複数の電磁波シールド部材Ｓが互いに平行に貼設されており、これらの導電性シールド部材Ｓの各角部Ｃの向きは、ドア３の閉成時にドア３のフレーム３ｅとドア枠９ｄとの相対移動方向接近する側、すなわち、正面側から見てドア枠９ｄの左側となっている。
【００５３】
図８に示すように、ドア用開口８の周縁のドア枠９ｂには、ドア枠９ｂの伸びる方向に沿ってドア３のフレーム３ｄに近接する側に、複数の電磁波シールド部材Ｓが互いに平行に貼設されており、これらの導電性シールド部材Ｓの各角部Ｃの向きは、ドア３の閉成時にドア３のフレーム３ｄとドア枠９ｂとの相対移動方向接近する側、すなわち、正面側から見てドア枠９ｂの上側となっている。
【００５４】
また、ドア３の下端面３ｈには、下端面３ｈの伸びる方向に沿って複数の電磁波シールド部材Ｓが互いに平行に貼設されており、これらの導電性シールド部材Ｓの各角部Ｃの向きは、ドア３の閉成時にドア３の下端面３ｈと、くつ摺部９ａとの相対移動方向接近する側、すなわち、下端面３ｈのドア用開口８側となっている。
【００５５】
〈作用効果〉
本実施例の電磁波シールド構造では、導電性シールド部材Ｓが、ドア３の下端面３ｈとドア用開口８のドア枠９ｂ，９ｃ，９ｄとに導電性シールド部材Ｓが貼設されており、ドア３の周縁部（フレーム３ｄ，３ｅ，３ｆおよびドアの下端面３ｈ）とドア用開口８の周縁部（ドア枠９ｂ，９ｃ，９ｄおよびくつ摺部９ａ）との隙間を塞いで電磁波の漏洩を防止するようになっている。
【００５６】
この導電性シールド部材Ｓが柔軟性を有する発泡樹脂により構成されているので、ドア３の開閉時に導電性シールド部材Ｓに接触する接触部分に傷や擦れ跡がつきにくい。
【００５７】
そして、図９に示すように、本実施例の電磁波シールド構造では、長尺かつ長手方向に沿って鋭角に屈曲された平板状の導電性シールド部材Ｓの角部Ｃが、ドア３の閉成時に、ドア３の周縁部とドア用開口８の周縁部との相対移動方向接近する側に向けられており、ドア３の周縁部とドア用開口８の周縁部とが接近するときに導電性シールド部材Ｓに接触すると、導電性シールド部材Ｓは、折曲げ方向にさらに折曲がって隙間にスムーズに入り込むので、ドア３の開閉動作を繰り返しても導電性シールド部材Ｓは破損しにくい。
【００５８】
また、本実施例の電磁波シールド構造では、ドア３の閉成状態でドア３のドア用開口８に対向する部分にドア３の開閉途中におけるドア３とシールド部材Ｓとの接触を回避するための凹所３ｇが設けられているので、ドア３の開閉途中におけるドア３とシールド部材Ｓとの接触が回避され、ドア３の開閉動作を繰り返してもドア３の閉成時にドア用開口８側から見えるドア３のドア用開口８に対向する部分に擦れ跡や傷が付かないので、ドアの見映えを損なうことがない。
【実施例２】
【００５９】
〈構成〉
実施例２の電磁波シールド構造について、実施例１とは異なる部分を中心に説明し、共通する部分は説明を省略する。なお、図面において、実施例１と同一ないし均等な部分については同一の符号を付すものとする。
【００６０】
図１に示すように、実施例１の電磁波シールド構造では、ドア３が片開きなのに対して、図１０に示すように、実施例２の電磁波シールド構造では、ドアが両開きになっている。
【００６１】
図１０において、符号３Ｌは左側のドア、符号３Ｒは右側のドアを示している。なお、実施例１に係る戸袋部４に相当するものは、実施例２では設けられていない。
【００６２】
図１２に示すように、ドア３Ｒ，３Ｌの各突き合わせ側端部には、それぞれ嵌合凸部３Ｒａと嵌合凹所３Ｌａとが設けられている。
【００６３】
本実施例に係るドア３Ｒ，３Ｌでは、ドア３Ｒ，３Ｌの閉成状態で、これらの嵌合凸部３Ｒａと嵌合凹所３Ｌａとが嵌合するようになっている。
【００６４】
この嵌合部は、ドア３Ｒ，３Ｌの閉成状態で、両開きのドア３Ｒ，３Ｌの突き合わせ側端部に形成される隙間から電磁波が直接漏洩しないように構成されたものであるが、嵌合凸部３Ｒａと嵌合凹所３Ｌａとの僅かな隙間からでも、ＭＲＩ検査装置により発生する電磁波は、波長が短く高強度であるので、漏洩してしまうおそれがある。
【００６５】
そこで、本実施例では、図１３に示すように、嵌合凹所３Ｌａの対向している内側端面に実施例１と同様の導電性シールド部材Ｓを貼設することにより、嵌合凸部３Ｒａと嵌合凹所３Ｌａとの隙間を塞ぐことにより電磁波を遮蔽する。
【００６６】
また、ドア３Ｒ，３Ｌの各突き合わせ側端部背面側には、それぞれ金属製の保持片３Ｒｂと、押入片３Ｌｂとが設けられている。
【００６７】
そして、保持片３Ｒｂとドア３Ｒの背面とによって形成される凹部には、スポンジ状のシールドブロックＳＢが保持・固定されている。
【００６８】
シールドブロックＳＢは、導電性シールド部材Ｓと同様の部材で形成されたものであり、その断面形状が方形形状となっており、電磁波に対する遮蔽性を有している。
【００６９】
図１３に示すように、ドア３Ｒ，３Ｌの閉成状態では、押入片３Ｌｂの先端部がスポンジ状のシールドブロックＳＢに押入されて、ドア３Ｒ，３Ｌの突き合わせ側端部に形成される隙間を塞ぐようになっている。
【００７０】
〈作用効果〉
電磁波の漏洩防止用に設けられた嵌合凸部３Ｒａと嵌合凹所３Ｌａとからなる嵌合部の隙間に、さらに導電性シールド部材Ｓが貼設されるので、両開きのドア３Ｒ，３Ｌの突き合わせ側端部に形成される隙間からの電磁波漏洩を一層確実に防止することができる。
【００７１】
また、保持片３Ｒｂ、押入片３ＬｂおよびシールドブロックＳＢにより、ドア３Ｒ，３Ｌの突き合わせ側端部から電磁波漏洩をさらに確実に防止することができる。
【００７２】
以上、図面を参照して、本考案の最良の実施の形態を詳述してきたが、具体的な構成は、この実施の形態に限らず本考案の要旨を逸脱しない程度の設計的変更は本考案に含まれる。
【図面の簡単な説明】
【００７３】
【図１】実施例１に係る開閉装置の正面図であり、装置カバーと戸袋カバーとを閉じた状態の図である。
【図２】実施例１に係る開閉装置の正面図であり、装置カバーと戸袋カバーとを開いた状態の図である。
【図３】実施例１に係る開閉装置の正面図であり、装置カバーと戸袋カバーとを開いた状態で、さらにドアを取り外した状態の図である。
【図４】実施例１に係るドアの４面図である。
【図５】図８のＤ部分の拡大図であり、本実施例に係る開閉装置に備えられた電磁波遮蔽機構の動作を示す図である。
【図６】実施例１に係る電磁波シールド部材の破断斜視図である。
【図７】実施例１に係る開閉装置の横断面図であり、図１のＡ−Ａ断面の断面図である。
【図８】実施例１に係る開閉装置の縦断面図であり、図７のＢ−Ｂ断面の断面図である。
【図９】図７に示すＥ部分の拡大図であり、本考案の開閉装置の電磁波シールド構造の作用効果を示す図である。
【図１０】実施例２に係る開閉装置の正面図であり、装置カバーを閉じた状態の図である。
【図１１】実施例２に係る開閉装置の正面図であり、装置カバーを開いた状態で、さらにドアを取り外した状態の図である。
【図１２】実施例２に係る一対のドアの裏面側から見た平面図である。
【図１３】実施例２に係る開閉装置の横断面図であり、図１０のＦ−Ｆ断面の断面図である。
【符号の説明】
【００７４】
１        壁
１ａ      壁面
３        ドア
３ｄ，３ｅ，３ｆ  フレーム（ドアの周縁部）
３ｇ      凹所
３ｈ      ドアの下端面（ドアの周縁部）
５        開閉装置
８        ドア用開口
９ａ      くつ摺部（ドア用開口の周縁部）
９ｂ，９ｃ，９ｄ  ドア枠（ドア用開口の周縁部）
Ｓ        導電性シールド部材
【図１】
0003143096.tif 000003
【図２】
0003143096.tif 000004
【図３】
0003143096.tif 000005
【図４】
0003143096.tif 000006
【図５】
0003143096.tif 000007
【図６】
0003143096.tif 000008
【図７】
0003143096.tif 000009
【図８】
0003143096.tif 000010
【図９】
0003143096.tif 000011
【図１０】
0003143096.tif 000012
【図１１】
0003143096.tif 000013
【図１２】
0003143096.tif 000014
【図１３】
0003143096.tif 000015